(57)【要約】【課題】レーザ光源が取り付けられるホルダ（フレーム）を簡易な形状に維持したまま、レーザ光源が強固に保持され、かつ高温下においてもレーザ光源の取付状態が変化することがないレーザ光源固定装置および光ヘッド装置を提供すること。【解決手段】レーザ光源（第一レーザ光源１０１および第二レーザ光源１０２）と、該レーザ光源が挿入されて固定される取付孔６７が形成されたホルダ６５（レーザ光源固定装置）において、前記取付孔６７は、前記レーザ光源から出射されるレーザ光の出射方向に形成され、前記取付孔６７の内壁には、前記レーザ光源が固定されると、前記レーザ光源が圧入される圧入部６７１ａおよび前記レーザ光源と所定のクリアランスを介して対向する溝部６７１ｂが周方向に交互に形成され、前記圧入部６７１ａおよび前記溝部６７１ｂは、前記レーザ光の出射方向に形成されると共に、該溝部６７１ｂには、熱硬化性接着剤が充填されている。【選択図】図５
2009217864.tif 000002
【特許請求の範囲】
【請求項１】
レーザ光源と、該レーザ光源が挿入されて固定される取付孔が形成されたレーザ光源固定装置において、
前記取付孔は、前記レーザ光源から出射されるレーザ光の出射方向に形成され、前記取付孔の内壁には、前記レーザ光源が固定されると、前記レーザ光源が圧入される圧入部および前記レーザ光源と所定のクリアランスを介して対向する溝部が周方向に交互に形成され、前記圧入部および前記溝部は、前記レーザ光の出射方向に形成されると共に、該溝部には、熱硬化性接着剤が充填されていることを特徴とするレーザ光源固定装置。
【請求項２】
請求項１において、前記圧入部に嫌気性接着剤が塗布されていることを特徴とするレーザ光源固定装置。
【請求項３】
請求項２において、前記嫌気性接着剤および前記熱硬化性接着剤は、前記レーザ光源が前記取付孔に圧入された後の前記圧入部および前記溝部の出射方向の端面にそれぞれ塗布されていることを特徴とするレーザ光源固定装置。
【請求項４】
請求項１から３のいずれかにおいて、前記圧入部および前記溝部は、周方向に等間隔に形成され、前記溝部の全てに前記熱硬化性接着剤が充填されていることを特徴とするレーザ光源固定装置。
【請求項５】
請求項１から４のいずれかに記載のレーザ光源固定装置は、対物レンズ駆動装置が搭載されたフレームに固定されるホルダであることを特徴とする光ヘッド装置。
【発明の詳細な説明】
【技術分野】
【０００１】
本発明は、レーザ光源固定装置および光ヘッド装置に関し、さらに詳しくは、光学系に向けてレーザ光を出射するレーザ光源が備えられるレーザ光源固定装置および光ヘッド装置に関するものである。
【背景技術】
【０００２】
光ヘッド装置は、光学系に向けてレーザ光を出射する光源として、半導体レーザダイオード（以下、単にレーザ光源という。）を備える。特に、多くの光ヘッド装置に用いられているレーザ光源としては、キャンタイプと称されるものが知られている。このキャンタイプのレーザ光源は、レーザ光を出射する半導体レーザ素子を載置するための円筒状のステムと、半導体レーザ素子を保護するためのキャップとから構成される。
【０００３】
このように構成されるレーザ光源は、ホルダと呼ばれる部材（レーザ光源固定装置）を介して、光ヘッド装置の筐体であるフレームに固定される。また、ホルダを介さず、直接フレームに固定されることもある。レーザ光源の固定方法としては、ホルダ等に形成された取付孔にレーザ光源を圧入するまたはかしめる方法が多く用いられているが、より高い固定強度を得るため、かしめと接着剤による接着固定とが併用される場合が多く、このような固定方法が記載された文献としては、下記特許文献１が挙げられる。
【０００４】
【特許文献１】特開２００４−１１１５０８号公報
【発明の開示】
【発明が解決しようとする課題】
【０００５】
上記特許文献１によれば、ステムが挿入される取付孔は、ステムの外径に対し最も大きくずれた場合でも挿入できるように設計値に対し大きく形成されている。したがって、ステムをホルダにかしめて固定する場合、ステム外壁と取付孔の内壁との隙間分はレーザ光源が移動し光軸ずれが発生するので、ホルダを装置フレームに固定する際の光軸調整幅が大きくなり、その調整分を考慮した設計になるため装置が大型化するという問題がある。
【０００６】
そこで、本発明者らは、ホルダ等に形成された取付孔にレーザ光源を圧入する構成を採用し接着剤を併用した。上記レーザ光源の固定に用いられる接着剤は、一般的には、嫌気性接着剤である。これは、レーザ光源が圧入により固定されるため、レーザ光源と取付孔との隙間が微小であることを考慮したものである。しかしながら、嫌気性接着剤は、一般的にガラス転移温度が低いため、ガラス転移点以上の温度において接着剤の粘性が著しく変化してしまう。さらに、ホルダ等が膨張するため、レーザ光源の取付孔が大きくなってしまう。その結果、ガラス転移温度以上の高温において目論み通りの接着性能が得られず、固定されているレーザ光源が移動してしまい取付角度が変化してしまうという問題があった。  
【０００７】
この問題に対し、比較的粘性が高く、熱に強い熱硬化性接着剤を用いることも考えられる。しかし、レーザ光源が圧入されるものではレーザ光源と取付孔との隙間が微小であるため、粘性の高い熱硬化性接着剤では十分に隙間に充填できず、嫌気性接着剤を使用した場合に比べて接着強度が大幅に低下してしまうという問題があった。
【０００８】
また、特許文献１のように、ホルダ１０に接着剤注入専用の注入孔を形成した構成であれば、十分な接着剤の充填空間が確保されているため、熱硬化性接着剤を使用することもできる。しかし、注入孔は、半導体レーザを取付ける取付孔の延設方向と直交しているため、ホルダを形成する金型が単純な一方向に移動するだけの上下型では形成することができないという問題があった。また、充填空間が大きいため、ホルダ（フレーム）の剛性が低下してしまうという問題もあった。
【０００９】
本発明が解決しようとする課題は、レーザ光源が強固に保持され、高温下においてもレーザ光源の取付状態が変化することがないレーザ光源固定装置および光ヘッド装置を提供することにある。また、本発明が解決しようとする別の課題は、単純な一方向に移動するだけの金型で形成することができ、かつ剛性低下を抑えたレーザ光源固定装置を提供することにある。
【課題を解決するための手段】
【００１０】
上記課題を解決するために本発明に係るレーザ光源固定装置は、レーザ光源と、該レーザ光源が挿入されて固定される取付孔が形成されたレーザ光源固定装置において、前記取付孔は、前記レーザ光源から出射されるレーザ光の出射方向に形成され、前記取付孔の内壁には、前記レーザ光源が固定されると、前記レーザ光源が圧入される圧入部および前記レーザ光源と所定のクリアランスを介して対向する溝部が周方向に交互に形成され、前記圧入部および前記溝部は、前記レーザ光の出射方向に形成されると共に、該溝部には、熱硬化性接着剤が充填されていることを要旨とするものである。
【００１１】
本発明に係るレーザ光源固定装置には、レーザ光源が挿入される取付孔には、レーザ光源が圧入される圧入部と、この圧入部と交互に溝部が形成されている。この溝部は、レーザ光源と所定のクリアランスを隔てて対向しているため、レーザ光源が圧入されると、レーザ光源と溝部によって熱硬化性接着剤が十分に作用する充填空間が形成される。また、溝部は、レーザ光の出射方向に形成されている。したがって、取付孔への圧入によって固定されるレーザ光源の固定強度を、上記溝部に充填された熱硬化性接着剤によって大幅に向上させることができる。また、充填されるのは、熱硬化性接着剤ゆえ、高温下における接着性能の低下が小さく、レーザ光源の取付角度が変化してしまうことを抑制することができる。さらに、溝部がレーザ光の出射方向に形成されているため、取付孔が形成されるホルダ等の金型を単純な一方向に移動するだけの金型で形成することができるとともに、接着剤の充填空間（溝部）が従来に比して小さくなり、ホルダの剛性低下を抑制することができる。
【００１２】
この場合、前記圧入部に嫌気性接着剤が塗布されていれば好適である。
【００１３】
このように、嫌気性条件下（微小な隙間内）で効果的に作用する嫌気性接着剤を圧入部に塗布することにより、レーザ光源の固定強度をさらに向上させることができる。
【００１４】
また、この場合に前記嫌気性接着剤および前記熱硬化性接着剤は、前記レーザ光源が前記取付孔に圧入された後の前記圧入部および前記溝部の出射方向の端面にそれぞれ塗布されていればさらによい。
【００１５】
このようにすれば、レーザ光源を取付孔に圧入した後、圧入部および溝部の出射方向の端面にそれぞれの接着剤を塗布するだけで、効率よくかつ確実に溝部および圧入部に接着剤を充填することができる。
【００１６】
また、前記圧入部および前記溝部は、周方向に等間隔に形成され、前記溝部の全てに前記熱硬化性接着剤が充填されていれば好ましい。
【００１７】
このように等間隔に形成された溝部の全てに熱硬化性接着剤を充填することにより、レーザ光源は、熱硬化性接着剤によって上下左右対称にバランスよく補強された状態で固定されることとなるため、温度変化によるレーザ光源の取付角度の変化をさらに抑制することができる。
【００１８】
また、本発明に係る光ヘッド装置は、上記レーザ光源固定装置が、対物レンズ駆動装置が搭載されたフレームに固定されるホルダであることを要旨とするものである。
【００１９】
一般的にホルダは、フレームと比較して、構成上圧入によりレーザ光源の固定強度を確保することが困難であるが、上記構成に係る光ヘッド装置によれば、レーザ光源のホルダに対する十分な固定強度を確保することができる。
【発明の効果】
【００２０】
本発明に係るレーザ光源固定装置によれば、レーザ光源が挿入される取付孔には、レーザ光源が圧入される圧入部と、この圧入部と周方向に交互に溝部が形成されている。この溝部は、レーザ光源と所定のクリアランスを隔てて対向しているため、レーザ光源が圧入されると、レーザ光源と溝部によって熱硬化性接着剤が十分に作用する充填空間が形成される。また、溝部は、レーザ光の出射方向に形成されている。したがって、圧入によって固定されるレーザ光源の固定強度を、上記溝部に充填された熱硬化性接着剤によって補強されて大幅に向上させることができる。さらに、溝部がレーザ光の出射方向に形成されているため、取付孔が形成されるレーザ光源固定装置の金型を単純な一方向に移動するだけの金型で形成することができるとともに、接着剤の充填空間（溝部）が従来に比して小さくなり、レーザ光源固定装置の剛性低下を抑制することができる。
【発明を実施するための最良の形態】
【００２１】
以下、本発明の実施の形態について図面を参照しつつ詳細に説明する。
【００２２】
本発明に係るレーザ光源固定装置としてのホルダ６５を備えた光ヘッド装置１の外観斜視図を図１に、光ヘッド装置１の光学系および制御系を模式的に示した概略構成図を図２に示す。ここで、図１は、光ヘッド装置１から光学素子等を保護するためのカバーを取り外した状態を示した外観図斜視図である。
【００２３】
光ヘッド装置１は、波長が７８０ｎｍ帯の第一レーザ光、および波長が６５０ｎｍ帯の第二レーザ光を用いてＣＤ系ディスクおよびＤＶＤ系ディスクに対する情報の記録、再生が可能な二波長光ヘッド装置である。光ヘッド装置１は、光源１０（第一レーザ光源１０１および第二レーザ光源１０２）から出射された光ビームを光記録媒体５に導き、この光記録媒体から反射した光を信号検出用受光素子４０に導く光学系と、この光学系を構成する光学素子等が搭載されるフレーム６０とからなる。
【００２４】
光源１０は、第一レーザ光を出射するＡｌＧａＩｎＰ系のレーザダイオードを備えた第一レーザ光源１０１と、第二レーザ光を出射するＡｌＧａＡｓ系のレーザダイオードを備えた第二レーザ光源１０２とからなる。第一レーザ光源１０１は、レーザ光源固定装置であるホルダ６５に固定されてからフレーム６０に取り付けられている。ホルダ６５における第一レーザ光源１０１の取付構造については後述する。これに対して、第二レーザ光源１０２は、フレーム６０に圧入固定されている。第一レーザ光源１０１および第二レーザ光源１０２は共に、光路が所定の経路を辿るよう位置調整されてフレーム６０に固定されている。
【００２５】
第一レーザ光源１０１の外観図を図３に示す。ここで、図３（ａ）は第一レーザ光源１０１の底面図であり、図３（ｂ）は側面図である。第一レーザ光源１０１は、いわゆるキャンタイプと称されるレーザ光源である。このキャンタイプのレーザ光源は、円筒状のステム１０１ａと、ステム１０１ａ上に固定されたキャップ１０１ｂとからなる。ステム１０１には、レーザ光を出射する半導体レーザ素子（図示せず）が載置されている。キャップ１０１ｂは、この半導体レーザ素子を保護するための部材である。また、ステム１０１ａのキャップ１０１ｂが固定された面の反対面からは、給電のためのリード線１０１ｃが突出して設けられている。
【００２６】
一方、第二レーザ光源１０２は、搭載された半導体レーザ素子の種類が異なるのみで、その他の構成は図３に示した第一レーザ光源１０１と同一である。よって、その説明を省略する。
【００２７】
図２に示すように、第一および第二レーザ光の光路として、第一レーザ光源１０１から光記録媒体５の記録面に向かう第一往路Ｌ１と、第二レーザ光源１０２から光記録媒体５の記録面に向かう第二往路Ｌ２が形成されている。また、光記録媒体５の記録面から反射した戻り光が信号検出用受光素子４０に向かう復路Ｌ３が形成されている。
【００２８】
本実施形態において、光学系は、各種光学素子により、以下のように構成されている。すなわち、第一往路Ｌ１には、第一レーザ光源１０１から射出された第一レーザ光をトラッキング検出用に３ビームに回折する第一回折格子５１１と、第一回折格子５１１により３ビームに分離したレーザ光を部分透過する平行平板型の第一ビームスプリッタ５２１と、この第一ビームスプリッタ５２１を透過したレーザ光を光記録媒体５に向けて立ち上げる立ち上げミラー５３とが配置されている。立ち上げミラー５３の上方位置には、レーザ光を平行光にするコリメートレンズ５４と、コリメートレンズ５４からの平行光を光記録媒体５の記録面に収束させる対物レンズ５５とが配置されている。この対物レンズ５５は、光記録媒体にレーザ光を収束させるため、フレーム６０に固定された対物レンズ駆動装置５５１により駆動される（対物レンズ駆動装置５５１は、図１に示したフレーム６０の裏側に固定されている。）。
【００２９】
第二往路Ｌ２には、第二レーザ光源１０２から射出された第二レーザ光をトラッキング検出用に３ビームに回折する第二回折格子５１２と、第二回折格子５１２により３ビームに分離したレーザ光を部分反射する平行平板型の第二ビームスプリッタ５２２とが配置されている。
【００３０】
平行平板型の第一ビームスプリッタ５２１は、第一往路Ｌ１と第二往路Ｌ２とを合成する光路合成素子として用いられている。第二ビームスプリッタ５２２によって反射されたレーザ光は、当該第一ビームスプリッタ５２１の部分反射面５２１ａで部分反射された後に、第一レーザ光と同様に、立ち上げミラー５３、コリメートレンズ５４、対物レンズ５５を経て光記録媒体５の記録面に照射される。したがって、第一ビームスプリッタ５２１の部分反射面５２１ａから光記録媒体５までの間が共通光路となっている。
【００３１】
復路Ｌ３に沿って戻る戻り光も当該共通光路を経由して第一ビームスプリッタ５２１まで戻ってくる。戻り光は、当該第一ビームスプリッタ５２１の部分反射面５２１ａで反射された後に第二ビームスプリッタ５２２を透過し、検出レンズ５６で非点収差を付与された後、信号検出用受光素子４０に到達する。
【００３２】
ここで、第一ビームスプリッタ５２１における第一レーザ光源側の面５２１ｂの近傍位置には、モニター用受光素子４５が配置されており、第一レーザ光源側の面５２１ｂから入射した第一レーザ光は、この第一レーザ光源側の面５２１ｂの反対側に位置する第一ビームスプリッタ５２１の部分反射面５２１ａにおいて部分反射される。故に、部分反射面５２１ａにおいて部分反射された第一レーザ光の反射光成分がモニター用受光素子４５で受光され、その受光量に基づき、第一レーザ光源１０１の発光強度のフィードバック制御を行うことができるようになっている。
【００３３】
したがって、本実施形態に係る第一ビームスプリッタ５２１の部分反射面５２１ａは、第一レーザ光を略５０％透過し、略５０％反射し、第二レーザ光を略全反射する光学特性を備えている。第二ビームスプリッタ５２２は、第一レーザ光を略全透過させ、第二レーザ光を略５０％透過し、略５０％反射する光学特性を備えている。
【００３４】
図１に示すように、フレーム６０は、上述した光源１０（第一レーザ光源１０１、第二レーザ光源１０２）、各種光学素子、受光素子（信号検出用受光素子４０、モニター用受光素子４５）等が搭載される筐体であり、ダイカスト等により成形された亜鉛やマグネシウム製の部材である。フレーム６０の両端の各々には、ディスク駆動装置のガイド軸９０や送りねじ軸９１が係合する第一の軸受部５１、および第二の軸受部５２が形成されており、光ヘッド装置１は光記録媒体５の半径方向に往復移動可能となっている。
【００３５】
フレーム６０には、第一レーザ光源１０１、第二レーザ光源１０２、および受光素子２２等が固定されている。また、フレーム６０の内部に形成されたユニット装着部６１には、第一レーザ光源１０１に加え、上述した各種光学素子が固定されている。
【００３６】
ここで上述したように、第一レーザ光源１０１は、ホルダ６５を介してフレーム６０に固定されている。以下、ホルダ６５における第一レーザ光源１０１の取付構造について説明する。
【００３７】
ホルダ６５の外観図を図４に示す。ここで、図４（ａ）は、ホルダ６５の底面図であり、図４（ｂ）は、レーザ光の出射方向におけるホルダ６５の断面図である。ホルダ６５は、フレーム６０と同じく亜鉛やマグネシウムにより形成されており、ベース部６５１および取付部６５２とからなる。ベース部６５１には、第一レーザ光源１０１へ給電するためのフレキシブル基板（ＦＰＣ）を固定するための取付ネジ孔６５１ａが形成されている。また、ホルダ６５の中央には、第一レーザ光源１０１がその一部分で固定される取付孔６７が形成されている。  
【００３８】
取付孔６７は、ベース部６５１から取付部６５２側にかけて形成された、大径部６７１、中径部６７２、および小径部６７３とからなる。
【００３９】
大径部６７１は、第一レーザ光源１０１のステム１０１ａが嵌め込まれる（圧入される）部分である。大径部６７１は、圧入部６７１ａ、および溝部６７１ｂとからなる。圧入部６７１ａおよび溝部６７１ａの詳細については後述するが、圧入部６７１ａおよび溝部６７１ｂは、それぞれが取付孔６７の円周上において、等間隔、かつ交互に形成されている（本実施形態では、それぞれ、４個所ずつ形成されている。）。また、圧入部６７１ａおよび溝部６７１ｂは共に、取付孔６７の軸線方向（レーザ光の出射方向）に形成されている。圧入部６７１ａの直径は、第一レーザ光源１０１が圧入される部分であるため、ステム１０１ａの外径よりも僅かに小さく形成されている。また、溝部６７１ｂの直径は、ステム１０１ａの外径よりも大きく形成されている。さらに、ベース部６５１には、後述する嫌気性接着剤が塗布された時に、余剰の嫌気性接着剤が溜まる接着剤溜まり６９が圧入部６７１ａに隣接して設けられている。
【００４０】
中径部６７２は、第一レーザ光源１０１のキャップ１０１ｂが挿入される部分である。第一レーザ光源１０１は、ステム１０１ａの外周面が圧入部６７１ａに圧入されることにより固定されるため、中径部６７２により、キャップ１０１ｂが固定される必要はない。故に、中径部６７２は、キャップ１０１ｂを挿入することができる大きさに形成されていればよい。一方、小径部６７３は、後述するが、第一レーザ光源１０１から出射されるレーザ光を妨げることがない大きさに形成されていればよい。
【００４１】
図５は、ホルダ６５に第一レーザ光源１０１が固定されたユニット（以下、これをＬＤ・ホルダユニット６８という。）の説明図である。ここで、図５（ａ）は、ＬＤ・ホルダユニット６８をホルダ６５のベース部６５１側から見た平面図であり、図５（ｂ）は、レーザ光の出射方向におけるＬＤ・ホルダユニット６８の断面図である。
【００４２】
図示されるＬＤ・ホルダユニット６８は、次のように組立てる。まず、ホルダ６５の大径部６７１に、第一レーザ光源１０１のステム１０１ａを圧入する。すなわち、ステム１０１ａの外周面が圧入部６７１ａに圧入され、ステム１０１ａの外周面と溝部６７１ｂとの間には接着剤充填空間Ｓが形成される。次いで、圧入部６７１ａにおける取付孔６７とステム１０１ａとの境界に沿って、ベース部６５１側から嫌気性接着剤を塗布する。この時、余剰の嫌気性接着剤は、上述した接着剤溜まり６９に溜まるため、ベース部６５１の端面から、硬化した嫌気性接着剤が突出してしまうことがない。そして、取付孔６７の溝部６７１ｂと第一レーザ光源１０１のステム１０１ａの外周面との間に生じる接着剤充填空間Ｓに対し、ベース部６５１側から熱硬化性接着剤を充填する。なお、本実施形態においては、嫌気性接着剤として、アクリル系嫌気性接着剤を採用し、熱硬化性接着剤として、エポキシ系熱硬化性接着剤を採用しているが、必ずしもこれに限定されるものではない。
【００４３】
このように、取付孔６７への圧入によって固定される第一レーザ光源１０１の固定強度は、圧入部６７１ａに塗布された嫌気性接着剤に加え、溝部６７１ｂに充填された熱硬化性接着剤によっても補強される。また、熱硬化性接着剤は、高温下における接着性能の低下が小さいため、嫌気性接着剤のガラス転移温度を超えるような高温に高頻度で曝される環境条件においても、第一レーザ光源１０１の移動を抑制し、レーザ光源の取付角度が変化してしまうことを防止することができる。
【００４４】
また、上述のように、接着剤は、それぞれが効果的に働く場所に使用されている。すなわち、隙間がほとんど無い嫌気性接着剤が硬化可能な圧入個所には嫌気性接着剤が用いられ、所定の大きさの接着剤充填空間Ｓが形成される溝部６７１ｂには熱硬化性接着剤が用いられている。そのため、二種類の接着剤を兼用することにより、第一レーザ光源１０１の固定強度を大幅に向上させることができる。
【００４５】
さらに、溝部６７１ｂは、レーザ光の出射方向に延設された取付孔６７の内壁であって、レーザ光の出射方向に対して平行に形成されているため、レーザ光源固定装置としてのホルダ６５の金型が、レーザ光の出射方向のみの一方向に移動するだけの単純な上下型ですむ。したがって、レーザ光の出射方向およびこのレーザ光の出射方向と交差する他方向の二方向に移動するような複雑なものとなることもない。また、溝部６７１ｂは、取付孔６７の円周上において等間隔に形成されている。換言すると、溝部６７１ｂと圧入部６７１ａとが互いに隣接し、円周上においてそれぞれ等間隔に形成されている。したがって、第一レーザ光源１０１は、熱硬化性接着剤および嫌気性接着剤によってバランスよく接着固定されることとなる。ゆえに、温度変化により第一レーザ光源１０１が移動することを抑制することができ、取付角度の変化がさらに抑えられる。
【００４６】
一方、第二レーザ光源１０２は、フレーム６０に直接取り付けられている。すなわち、第二レーザ光源１０２は、ホルダ６５を用いることなく直接フレーム６０に固定されている。つまり、第二レーザ光源１０２については、フレーム６０が本発明におけるレーザ光源固定装置に相当する。その取付構造は、ホルダ６５における第一レーザ光源１０１の取付構造とは相違しており、取付孔６７のように圧入部６７１ａと溝部６７１ｂとは円周上において互いに隣接するように形成されていない。第二レーザ光源１０２の場合、フレーム６０の取付孔には、溝部６７１ｂに相当するものは形成されおらず、ステムはその全周に亘って圧入されている。ただし、補強のため熱硬化性接着剤がステムが圧入された圧入部の端面に塗布されている。
【００４７】
このように、第二レーザ光源１０２の場合、第一レーザ光源１０１のような取付構造が採用されていない理由は、ホルダ６５とフレーム６０との剛性に起因するものである。すなわち、ホルダ６５は、フレーム６０に比較して剛性が低く十分な圧入強度が得られない。一方、フレーム６０は、剛性が高いので十分な圧入強度を確保することができ接着剤による補強を軽くできることに起因している。ただし、第二レーザ光源１０２の取付構造も第一レーザ光源１０１の取付構造と同一に構成してもよい。すなわち、上述した取付孔６７と同一構造の取付孔（第二取付孔）がフレーム６０に形成されており、この第二取付孔に第二レーザ光源１０２が圧入により固定されるように構成してもよい。この場合、補強のための嫌気性接着剤や、熱硬化性接着剤の使用方法についても第一レーザ光源１０１の場合と同様である。
【００４８】
このように、上記光ヘッド装置１において、第一レーザ光源１０１が挿入される取付孔６７には、レーザ光源が圧入される圧入部６７１ａと、この圧入部６７１ａと交互に溝部６７１ｂが形成されている。この溝部６７１ｂは、第一レーザ光源１０１と所定のクリアランスを隔てて対向しているため、第一レーザ光源１０１が圧入されると、第一レーザ光源１０１と溝部６７１ｂによって熱硬化性接着剤が十分に充填可能な接着剤充填空間Ｓが形成される。また、溝部６７１ｂは、レーザ光の出射方向に対して平行に形成されている。したがって、取付孔６７１ａへの圧入によって固定される第一レーザ光源１０１の固定強度を、上記溝部６７１ｂに充填された熱硬化性接着剤によって大幅に向上させることができる。しかも、充填されるのは、熱硬化性接着剤ゆえ、高温下における接着性能の低下が小さい。したがって、高温下を含むあらゆる環境下において、第一レーザ光源１０１が移動して第一レーザ光源１０１の取付角度が変化してしまうことを抑制することができる。
【００４９】
さらに、溝部６７１ｂは、レーザ光の出射方向に延設された取付孔６７の内壁であって、レーザ光の出射方向に対して平行に形成されているため、レーザ光源固定装置としてのホルダ６５の金型が、レーザ光の出射方向のみの一方向に移動するだけの単純な上下型ですむ。したがって、レーザ光の出射方向およびこのレーザ光の出射方向と交差する他方向の二方向に移動するような複雑なものとなることもない。また、接着剤充填空間Ｓ（溝部６７１ｂ）を従来に比して小さくすることができるため、ホルダの剛性低下を抑制することができる。
【００５０】
また、第一レーザ光源１０１が圧入される圧入部６７１ａに嫌気性接着剤が充填されているため、嫌気性接着剤による接着力も加わり、第一レーザ光源１０１の固定強度をさらに向上させることができる。
【００５１】
また、嫌気性接着剤および熱硬化性接着剤は、第一レーザ光源１０１を取付孔６７１ａに圧入した後、圧入部６７１ａおよび溝部６７１ｂのベース部６５１上における端面にそれぞれの接着剤を塗布するだけで、効率良くかつ確実に圧入部６７１ａおよび溝部６７１ｂに接着剤を充填することができる。  
【実施例】
【００５２】
以下、実施例を用いて本発明について詳細に説明する。
【００５３】
（１．接着強度について）
実施例として、上述の手順により、ＬＤ・ホルダユニット６８（圧入部６７１ａに嫌気性接着剤を塗布し、溝部６７１ｂ（接着剤充填空間Ｓ）に熱硬化性接着剤を充填したもの）を５つ（Ｎｏ．１〜５）作成した。また、比較例として、補強用接着剤に熱硬化性接着剤のみを使用し、溝部６７１ｂが形成されていない従来型の形状の取付孔に第一レーザ光源１０１を圧入固定したＬＤ・ホルダユニットを５つ（Ｎｏ．１〜５）作成した。
【００５４】
これら実施例および比較例における第一レーザ光源とホルダの接着強度を、プッシュプルゲージ（アイコーエンジニアリング（株）製）で測定した。その結果を表１に示す。
【表１】
2009217864.tif 000003
【００５５】
表１から分かるように、本実施例は、比較例よりも高い接着強度を示し、良好な接着状態であることが分かった。また、５つの実施例（Ｎｏ．１〜５）のいずれもが、比較例（Ｎｏ．１〜５）よりも高い接着強度を示していることから、安定して高い接着強度が得られることが分かった。
【００５６】
（２．高温耐久性について）
上記手順で作成したＬＤ・ホルダユニットの高温耐久性を評価した。複数の実施例および比較例に係るＬＤ・ホルダユニットを作成し、７０℃雰囲気下に４０８時間放置した後における光軸変化量を測定した。その結果を図６に示す。ここで、図６（ａ）は実施例、図６（ｂ）は比較例についての結果である。
【００５７】
ここで、光軸変化量とは、信号検出用受光素子４０におけるスポット位置のずれ量を測定したものである。ＰＸ（％）は、図２のＸ軸方向における光軸変化量の大きさを示す値であり、ＰＹ（％）は、図２のＹ軸方向における光軸変化量の大きさを示す値である。このＰＸ（％）、ＰＹ（％）値の絶対値が大きいほど、高温放置前後でＸ軸、Ｙ軸への光軸ずれ量が大きかったことを示している（例えば、ＰＸ＝±１００（％）、ＰＹ＝±１００（％）では、信号検出用受光素子４０におけるレーザ光のスポット位置が、そのスポット径の大きさ分、Ｘ軸、Ｙ軸方向にずれたことを示す。）。
【００５８】
図６より、比較例では、高温放置後に光軸変化が生じているのが散見される。一方、実施例では、比較例と比較して光軸変化量が小さく、レーザ光源の光軸変化がほとんど生じていないことがわかる。この結果より、本実施例によれば、高温下においても、レーザ光源の取付角度の変化がほとんど発生しない光ヘッド装置１が得られることがわかった。
【００５９】
以上、本発明の実施の形態について詳細に説明したが、本発明は上記実施の形態に何ら限定されるものではなく、本発明の要旨を逸脱しない範囲で種々の改変が可能である。
【００６０】
例えば、上記光ヘッド装置１に適用されたレーザ光源の固定方法は、レーザ光原に限らず、接着剤を併用して取付孔に圧入固定されるものであれば、その他の機器等にも適用することができる。
【００６１】
また、上述した嫌気性接着剤および熱硬化性接着剤の塗布は、以下のように行ってもよい。すなわち、図７に示すように、まず、取付孔６７の圧入部６７１ａの内周面に嫌気性接着剤を塗布した後、ホルダ６５の取付穴６７に、第一レーザ光源１０１を圧入する。そして、ベース部６５１側から取付孔６７と第一レーザ光源１０１のステム１０１ａとの境界線全周に亘って熱硬化性接着剤を塗布するようにしても、上記実施形態と同様の効果が得られる。
【図面の簡単な説明】
【００６２】
【図１】本発明に係るレーザ光源固定装置（ホルダ）を備えた光ヘッド装置の外観斜視図である。
【図２】図１に示した光ヘッド装置の光学系および制御系を模式的に示した概略構成図である。
【図３】図３（ａ）は、第一レーザ光源の底面図であり、図３（ｂ）は、第一レーザ光源の側面図である。
【図４】図４（ａ）は、ホルダの底面図であり、図４（ｂ）は、レーザ光の出射方向におけるホルダの断面図である。
【図５】図５（ａ）は、ＬＤ・ホルダユニットをホルダのベース部側から見た平面図であり、図５（ｂ）は、レーザ光の出射方向におけるＬＤ・ホルダユニットの断面図である。
【図６】高温放置前後における実施例（図６（ａ））および比較例（図６（ｂ））に係る光ヘッド装置の光軸変化量の測定結果である。
【図７】嫌気性接着剤および熱硬化性接着剤の塗布方法の変形例を説明するための図である。
【符号の説明】
【００６３】
１                光ヘッド装置
１０              光源
１０１            第一レーザ光源
１０２            第二レーザ光源
５５１            対物レンズ駆動装置
６０              フレーム
６５              ホルダ
６７              取付孔
６７１ａ          圧入部
６７１ｂ          溝部
【図１】
2009217864.tif 000004
【図２】
2009217864.tif 000005
【図３】
2009217864.tif 000006
【図４】
2009217864.tif 000007
【図５】
2009217864.tif 000008
【図６】
2009217864.tif 000009
【図７】
2009217864.tif 000010